(57)【要約】【課題】本発明はまつ毛の綺麗なカールを得ることを課題とするものであり、一度に複数の箇所でまつ毛を挟圧することができると共に、各挟圧部分でまつ毛に十分なカールを与えることによって綺麗なカールを得ることができるまつ毛カール器を提供することを目的とする。また、まつ毛カール器の押圧部の湾曲度と使用者の目などの湾曲度を合わせることができ、しかも使用時に目をはっきり目視しつつ綺麗にまつ毛をカールすることができるまつ毛カール器を提供することを目的とする。【解決手段】まつ毛を挟圧するための上下一対の押圧部を有するまつ毛カール器であって、該一対の押圧部にはそれぞれ複数の突条が長さ方向に延在し、該突条がまつ毛を押圧するための挟圧部となる。【選択図】  図１
2004242780.tif 000002
【特許請求の範囲】
【請求項１】
まつ毛を挟圧するための上下一対の押圧部を有するまつ毛カール器であって、該一対の押圧部にはそれぞれ複数の突条が長さ方向に延在し、該突条がまつ毛を押圧するための挟圧部となることを特徴とするまつ毛カール器
【請求項２】
一方の押圧部に延在する各挟圧部は頂部を有し、該頂部は条線状に延在している請求項１記載のまつ毛カール器
【請求項３】
上下の挟圧部はそれぞれ２条又は３条形成され、まつ毛を挟圧する際に、上下の挟圧部が１条ごとに圧接する請求項１又は請求項２記載のまつ毛カール器
【請求項４】
他方の押圧部に延在する挟圧部は条線状の頂部を有しておらず、ゴム等の弾性材料で一体に形成され、長さ方向に延びる溝を設けることにより複数条の挟圧部が形成されている請求項１乃至請求項３記載のまつ毛カール器
【請求項５】
上下の挟圧部の挟圧位置の高さは隣合う他の挟圧部の挟圧位置の高さと異なっており、且つ３条以上の挟圧の場合は上下一方向に向って高さが変化する請求項１乃至請求項４記載のまつ毛カール器
【請求項６】
まつ毛を挟圧する際に、複数の挟圧位置でほぼ同時に挟圧が行われるように各挟圧位置の高さを異ならせてある請求項５記載のまつ毛カール器
【請求項７】
まつ毛を挟圧するための上下一対の押圧部を有し、該一対の押圧部にはそれぞれまつ毛を押圧するための挟圧部が延在しているまつ毛カール器であって、下方の押圧部は把持部に取り付けられて上下に移動可能であり、上方の押圧部は、把持部の上部から環状に張り出すように設けられているワイヤの上部に取り付けられており、且つ、ワイヤの両側部は上方押圧部の両端よりも外に張り出すように湾曲していることを特徴とするまつ毛カール器
【請求項８】
ワイヤは把持部の両側部及び底部のほぼ全周に亘って延在している請求項７記載のまつ毛カール器
【請求項９】
まつ毛カール器を陳列販売するための陳列容器であって、該陳列容器に収納されているまつ毛カール器の押圧部の曲がり具合を表示する弧状表示が存在し、目の縁に前記弧状表示を宛てがうことができることを特徴とする陳列容器
【請求項１０】
前記弧状表示の凹状に曲がった方の側が空所又は透明な板状部である請求項９記載の陳列容器
【請求項１１】
空所は台紙に相当する部分である台紙部分の周囲に形成された切欠凹部であり、弧状表示は当該切欠凹部の縁である請求項１０記載の陳列容器
【請求項１２】
台紙部分はほぼ矩形に形成され、台紙部分の角に弧状表示が設けられている請求項１１記載の陳列容器
【請求項１３】
空所は台紙部分に設けられた孔であり、該孔の縁の一部又は全部が弧状表示である請求項１０記載の陳列容器
【発明の詳細な説明】
【０００１】
【発明の属する技術分野】
本発明は、主に女性が使用するまつ毛カール器及びまつ毛カール器の陳列容器に関する。
【０００２】
【従来の技術】
従来のまつ毛カール器はまつ毛を一箇所で挟圧する構成であった（例えば、特許文献１参照。）。その後、複数箇所でまつ毛を挟圧するまつ毛カール器が提案されている（例えば、特許文献２。）。また、まつ毛カール器は鋏と同じようなハンドルを有し、ハンドルを開閉することによってまつ毛を挟圧する構成のものが一般的である（例えば、特許文献３。）。しかし、この構成のまつ毛カール器はハンドルが大きくて嵩張るので携帯に不便である。そこで、ハンドルを単一の構成としレバーによって挟圧部を開閉しまつ毛を挟圧する構成のものが提案されている（例えば、特許文献４及び特許文献５。）。
【０００３】
【特許文献１】
実開昭６０−１１９３０１号公報
【特許文献２】
特公平４−９４０２号公報
【特許文献３】
特表平１１−５１２３３０号公報
【特許文献４】
特開２００１−２０４５３５号公報
【特許文献５】
特開２００２−７８５２４号公報
【０００４】
【発明が解決しようとする課題】
前述の特許文献１はまつ毛を一箇所で挟圧する構成であったから、一度の挟圧ではまつ毛に十分なカールを与えることができなかった。そこで、挟圧位置をずらしながらまつ毛を複数回挟圧する必要があり、作業が手間取る原因となっていた。また、特許文献４及び特許文献５はコンパクトに形成されているが、上側の挟圧部を支持する両腕部の間隔が挟圧部とほぼ同じであるから使用時に邪魔になっていた。
【０００５】
前述の特許文献２は一度に複数箇所でまつ毛を挟圧することができる構成であるが、図面に示された一方の押圧部には複数本の線状挟圧部が設けられ、他方の押圧部には凹面一面から成る挟圧部が設けられている。また、明細書の実施例の項の最後には、線状挟圧部をそれぞれの押圧部に設けても良いと記載されている。他方の押圧部を凹面一面に形成したものは、一方の複数本の挟圧部で押圧したときに凹面が全体的に圧縮され、挟圧部分のみが十分にへこむ構成でないので、線状の挟圧部で押す効果が十分に発揮されずまつ毛にカールが十分に与えられない。また、双方の押圧部を線状挟圧部に形成したときに、双方の線状挟圧部が硬いプラスチックで形成されたときは挟圧部が挟圧時に変形しないからまつ毛がほとんどカールされない。そこで他方の線状挟圧部をゴム等の柔軟性のある材料で形成したときは、線状同士の挟圧によりゴム製線状挟圧部は挟圧部分が全体的に圧縮されるのでまつ毛を屈曲するように挟圧しないから、この場合もまつ毛にカールが十分に与えられない。すなわち、ゴム状挟圧部は挟圧部分のみが十分にへこむように圧縮しなければ十分なカールが与えられないのである。十分なカールが与えられなければ綺麗なカールを得ることができないのである。
【０００６】
また、まつ毛カール器の押圧部は２つの方向に湾曲するように形成されている。これは、目が球状であるために使用時にこの球状の湾曲に適応するように押圧部を顔の表面から凸の湾曲をなすように形成したためであり、まぶたの縁が上方に凸の湾曲をなしているのでこれに対応するように押圧部の縁も上方に湾曲するように形成したためである。これら２つの湾曲度が使用者の湾曲度と合致すれば綺麗なカールを得ることができるが、いずれの湾曲度も合わないと綺麗なカールができない。綺麗なカールを得るためには少なくとも一方の湾曲度が合っていることが必要であり、特に顔の表面に対する凸の湾曲度は重要である。
【０００７】
さらに、レバーにより挟圧部を開閉する特許文献４及び特許文献５のまつ毛カール器は、使用時に腕部が邪魔になって目の全体を目視することができず、そのためにまつ毛を綺麗にカールすることができない欠点がある。特にまつ毛カール器の幅を小さめにして携帯に便利にしようとしたときは、さらに腕部が邪魔となってまつ毛を綺麗にカールすることが非常に困難となる。
【０００８】
そこで本発明はまつ毛の綺麗なカールを得ることを課題とするものであり、一度に複数の箇所でまつ毛を挟圧することができると共に、各挟圧部分でまつ毛に十分なカールを与えることによって綺麗なカールを得ることができるまつ毛カール器を提供することを目的とする。また、まつ毛カール器の押圧部の湾曲度と使用者の目などの湾曲度を合わせることによって綺麗なカールを得ることができるまつ毛カール器を提供することを目的とする。さらに、使用時にまつ毛をカールしようとする方の目の視界を遮ることがなく、目をはっきり目視しつつ綺麗にまつ毛をカールすることができるまつ毛カール器を提供することを目的とする。
【０００９】
【課題を解決するための手段】
本発明の請求項１は、まつ毛を挟圧するための上下一対の押圧部を有するまつ毛カール器であって、該一対の押圧部にはそれぞれ複数の突条が長さ方向に延在し、該突条がまつ毛を押圧するための挟圧部となる構成である。請求項２は、一方の押圧部に延在する各挟圧部は頂部を有し、該頂部が条線状に延在している要素が請求項１に限定的に付加された構成である。請求項３は、上下の挟圧部はそれぞれ２条又は３条形成され、まつ毛を挟圧する際に、上下の挟圧部が１条ごとに圧接する要素が請求項１又は請求項２に限定的に付加された構成である。請求項４は、他方の押圧部に延在する挟圧部は条線状の頂部を有しておらず、ゴム等の弾性材料で一体に形成され、長さ方向に延びる溝を設けることにより複数条の挟圧部が形成されている要素が請求項１乃至請求項３に限定的に付加された構成である。請求項５は、上下の挟圧部の挟圧位置の高さは隣合う他の挟圧部の挟圧位置の高さと異なっており、且つ３条以上の挟圧の場合は上下一方向に向って高さが変化する要素が請求項１乃至請求項４に限定的に付加された構成である。請求項６は、まつ毛を挟圧する際に、複数の挟圧位置でほぼ同時に挟圧が行われるように各挟圧位置の高さを異ならせてある要素が請求項５に限定的に付加された構成である。
【００１０】
請求項７は、まつ毛を挟圧するための上下一対の押圧部を有し、該一対の押圧部にはそれぞれまつ毛を押圧するための挟圧部が延在しているまつ毛カール器であって、下方の押圧部は把持部に取り付けられて上下に移動可能であり、上方の押圧部は、把持部の上部から環状に張り出すように設けられているワイヤの上部に取り付けられており、且つ、ワイヤの両側部は上方押圧部の両端よりも外に張り出すように湾曲している構成である。請求項８は、その構成に、ワイヤが把持部の両側部及び底部のほぼ全周に亘って延在している要素が限定的に付加された構成である。
【００１１】
請求項９は、まつ毛カール器を陳列販売するための陳列容器であって、該陳列容器に収納されているまつ毛カール器の押圧部の曲がり具合を表示する弧状表示が存在し、目の縁に前記弧状表示を宛てがうことができる構成である。請求項１０は、弧状表示の凹状に曲がった方の側が空所又は透明な板状部である要素が請求項９に限定的に付加された構成である。請求項１１は、空所が台紙部分の周囲に形成された切欠凹部であり、弧状表示が当該切欠凹部の縁である要素が請求項１０に限定的に付加された構成である。請求項１２は、台紙部分がほぼ矩形に形成され、台紙部分の角に弧状表示が設けられている要素が請求項１１に限定的に付加された構成である。請求項１３は、空所は台紙部分に設けられた孔であり、該孔の縁の一部又は全部が弧状表示である要素が請求項１０に限定的に付加された構成である。
【００１２】
【発明の効果】
次に本発明の効果について説明する。請求項１は、一対の押圧部にはそれぞれ複数の突条が長さ方向に延在し、突条がまつ毛を押圧するための挟圧部となる。したがって、まつ毛を複数の位置で一度に挟圧することができると共に、挟圧は突条同士の圧接であるから、まつ毛の挟圧が確実に行われてまつ毛に十分な角度のついたカールをすることができる。請求項２は、一方の押圧部に延在する各挟圧部は頂部を有し、頂部は条線状に延在している構成である。頂部が条線状ということは、頂部に筋状の幅の狭い線あるいは尖った線が延在しているということである。したがって、この幅の狭い又は尖った条線状の挟圧部がまつ毛に角度を付けるようにまつ毛を曲げるので十分にカールすることができ、綺麗にカールされたまつ毛を得ることができる。請求項３は、上下の挟圧部はそれぞれ２条又は３条形成され、まつ毛を挟圧する際に、上下の挟圧部が１条ごとに圧接する構成である。したがって、挟圧部が２条又は３条であるから一度の挟圧作業でまつ毛をカールすることが可能である。
【００１３】
請求項４は、他方の押圧部に延在する挟圧部は条線状の頂部を有しておらず、ゴム等の弾性材料で一体に形成され、長さ方向に延びる溝を設けることにより複数条の挟圧部が形成されている。したがって、他方のゴム状の挟圧部は隣接する挟圧部と溝によって区切られていて、ゴム状の各挟圧部は挟圧時に独自に圧縮するから、挟圧時にゴム状挟圧部の表面が大きな角度でへこむのである。このために、挟圧したまつ毛を大きく曲げることができるからより綺麗にカールすることができる。請求項５は、上下の挟圧部の挟圧位置の高さは隣合う他の挟圧部の挟圧位置の高さと異なっており、且つ３条以上の挟圧の場合は上下一方向に向って高さが変化する構成である。したがって、まつ毛を複数の位置で同じ方向にカールするように挟圧できるから、一度の挟圧作業でまつ毛を綺麗にカールできる。
【００１４】
請求項６は、まつ毛を挟圧する際に、複数の挟圧位置でほぼ同時に挟圧が行われるように各挟圧位置の高さを異ならせてある。挟圧によってまつ毛を屈曲させるといっても、小さなまつ毛カール器では硬い物を切るときの鋏のような非常に強い力で挟圧部を押すのでなく、まつ毛を大きく屈曲させると言っても鋭角的な屈曲ではない。したがって、まつ毛を挟圧する条件を違えることにより挟圧の効果に差が出るのである。まつ毛の複数の挟圧位置でほぼ同時に挟圧が行われると、挟圧位置でまつ毛は屈曲するので、隣合う２つの挟圧位置の間のまつ毛は引っ張られることになる。したがって、まつ毛は引っ張りの状態で屈曲されるから挟圧状態を解いても屈曲状態を長時間に亘って保持できる。従来のように複数の挟圧部による挟圧であっても同時に挟圧しない構成の場合は、最初の挟圧も後続の挟圧も引っ張りのない状態でまつ毛を挟圧することになり、引っ張り状態にないまつ毛は屈曲時にまつ毛に伸びる余裕があるから簡単に屈曲するが、その分まつ毛が元に戻り易く長時間に亘って屈曲状態を保持することができない。本発明は挟圧の条件を違えることによりこのような従来品の欠点を効果的に除去できる。
【００１５】
請求項７は、上下一対の押圧部を有し、下方の押圧部は把持部に取り付けられて上下に移動可能であり、上方の押圧部は、把持部の上部から環状に張り出すように設けられているワイヤの上部に取り付けられており、且つ、ワイヤの両側部は上方押圧部の両端よりも外に張り出すように湾曲している。したがって、ワイヤの両側部が上方押圧部の両端よりも張り出しているから、使用時にワイヤが目の邪魔とならずにまつ毛のカール作業を円滑に行なうことができる。また、ワイヤを使用し、そのワイヤは環状に張り出すように設けられているので、まつ毛カール器全体を手で握ったときに握り心地がよいという効果を奏する。請求項８は、ワイヤが把持部の両側部及び底部のほぼ全周に亘って延在している構成である。したがって、把持部をエラストマーのような柔軟性に富む材料で形成してグリップ力を高めたときに、ワイヤが把持部の強度を補強するので把持部が変形してむしろ握りにくくなるということがない。
【００１６】
請求項９は、まつ毛カール器を陳列販売するための陳列容器であって、陳列容器に収納されているまつ毛カール器の押圧部の曲がり具合を表示する弧状表示が存在し、目の縁に前記弧状表示を宛てがうことができる構成である。したがって、需要者は陳列容器に設けられた弧状表示を目に宛がうことによって、収納されているまつ毛カール器の押圧部の曲がり具合を把握できるから、押圧部の曲がり具合の異なる複数の種類のまつ毛カール器を用意しておけば、目の縁の曲がり具合に合った商品を選択することができる。目の縁に合ったまつ毛カール器を使用することでまつ毛を綺麗にカールすることができる。なお、陳列容器に１つの弧状表示を設けるときは、その弧状表示は顔の表面から前方へ凸に湾曲する目の縁の曲がり具合を表示することが好ましい。目のまぶたの開く方向の湾曲は目の開き加減である程度対応できるが、顔の前方方向の湾曲は一定だからである。したがってこの場合、顔の前方方向の弧状表示を陳列容器に設けるときは、２つの弧状表示が存在することとなる。
【００１７】
請求項１０は、前記弧状表示の凹状に曲がった方の側が空所又は透明な板状部である構成であり、請求項１１は、空所は台紙部分の周囲に形成された切欠凹部であり、弧状表示は当該切欠凹部の縁であり、請求項１３は、空所は台紙部分に設けられた孔であって該孔の縁の一部又は全部が弧状表示である構成である。したがって、台紙部分の一部を切り欠いたり孔を開けたり、あるいは透明な板状部に着色等で表示すれば弧状表示を設けることができるので製造が簡単である。さらに、請求項１２は、台紙部分がほぼ矩形に形成され、台紙部分の角に弧状表示が設けられている構成である。台紙部分の角に設けることによりまつ毛カール器を収納するスペースを十分に確保することができると共に、弧状表示を目の縁に宛がったときに収納されているまつ毛カール器が邪魔にならないという効果を奏する。
【００１８】
【発明の実施の形態】
次に本発明の実施の形態を図面に従って説明する。図１乃至図３に示すように、本発明のまつ毛カール器は比較的薄く形成された把持部１に摺動部材２が上下に摺動可能に装着され、後述するようにレバー３を押すことによって摺動部材２が上昇する構成となっている。把持部１の上面両端から金属製のワイヤ４が環状に張り出すように突き出ており、ワイヤ４の上部に比較的硬いプラスチックを材料とする押圧部１１が設けられている。ワイヤ４の両側部１８，１８は押圧部１１よりも外側に張り出すように湾曲している。ワイヤ４はまつ毛カール器全体の支柱の如き役目を果すものであるから容易に曲がるような一本の細い金属線は使用しないが、細い金属線であっても複数本を縒り合わせたものは使用できる。ワイヤ４の太さは好ましくは３ｍｍ程度であるが、この数値に限定されないことは勿論である。図２に示すワイヤ４は１本の金属棒で形成されており、把持部１の両側部及び底部のほぼ全周に亘って延在している。２つに分割して成形した把持部１を組み立てるときにワイヤ４を挟むように固定し、押圧部１１は射出成形によって取り付ける。あるいは、把持部１を成形する際にワイヤ４を固定してプラスチックを射出することにより把持部１とワイヤ４を一体的に形成することもできる。その際、押圧部１１も同時に射出成形する。
【００１９】
図７に示すように、押圧部１１には２条の挟圧部９，１０が設けられている。各挟圧部９，１０はその断面から明かなように包丁の切断縁付近のように頂部が尖った形状をなしており、長さ方向に延びる頂部は１本の細い線の如き条線をなしている。条線とは、はっきりしたすじのように１本の線として確認できるように形成された部分である。したがって、挟圧部を包丁の切断縁のように形成すれば頂部は１本の線をなすから条線状となる。挟圧部を比較的薄い金属板で形成したときはその金属板の縁が１本の線をなすから、この場合も条線状となる。断面が半円形の山状のときは頂部に線が形成されないから条線状とならない。使用時に顔を向く方の面を内面とし反対を向く面を外面とすると、内面側の挟圧部９は外面側の挟圧部１０よりも位置が低くなるように形成されている。図７では挟圧部が２条設けられているが、３条以上設けてもよいことは勿論である。挟圧部を３条以上としたときは、外面側に行くに従って頂部が順次高くなるように変化する。順次低くなるように形成してもよい。すなわち、高くなったり低くなったりの変化ではない。これによって、まつ毛を一方向に効率的にカールすることができる。また、図３に示すように押圧部１１の内面は凹の弧状をなしている。これは、目に宛がったときに目が弧状に突出していることに対応するためである。押圧部１１の内面の弧状の度合と目の弧状の度合が一致すればまつ毛を綺麗にカールすることができる。さらに、図２に示すように上側の挟圧部９は上に凸の弧状をなしている。これは、目の縁が弧状をなしていることに対応するためである。
【００２０】
図７に示すように摺動部材２の上端に凹部が設けられ、凹部内にゴム製の押圧部８が嵌着されている。図１に示すように把持部１の底面に凹部２６が形成されており、この凹部２６内に交換用の押圧部８が嵌合される。したがって、押圧部８が古くなったときは新しいものに交換可能である。押圧部８には長さ方向に延びる溝５がほぼ中央に設けられ、これによって２条の挟圧部６，７が形成されている。溝５を２条以上設けることによって挟圧部を３条以上設けてもよい。各挟圧部６，７は断面が凸の湾曲をなしてなめらかであり、そのために頂部は丸みを帯びている。したがって、長さ方向に延びるそれぞれの頂部ははっきりした１本のすじの如き条線を形成していない。また、押圧部８の上面全体を平面とし、これに溝を設けることによって挟圧部６，７の上面を幅広の平面としてもよい。この場合も挟圧部の上面は幅広の平面であるからはっきりしたすじの如き条線は形成されない。前述した上側の挟圧部９，１０の高さの違いに対応して、内面側の挟圧部６の頂部は外面側の挟圧部７の頂部よりも低くなるように形成されている。挟圧部を３条以上としたときは前述した上側の挟圧部の高さに対応して、一方の方向に行くに従って頂部が順次高くなるかあるいは低くなるように形成する。また、上側の押圧部１１の内面を目の凸の弧状に合わせて凹の弧状に形成したことと同様に、下側の押圧部８の内面及び摺動部材２の内面の一部も凹の弧状をなすように形成されている。さらに、図２に示すように下側の挟圧部６，７は凸の弧状をなしている。これは上側の挟圧部９，１０が凹の弧状をなしていることに対応するためである。
【００２１】
次に、レバー３を押すことによって摺動部材２が上昇する機構について説明する。なお、この機構は、特開２００１−２０４５３５に開示されたものとほぼ同じである。図４に示すように摺動部材２はほぼＴ字形をなし、頭部１２は横方向に長く形成されて把持部１の上端から突出しており、頭部１２の上端にゴム製の押圧部８が延在している。胴部１３の横方向の長さは頭部１２よりも短く形成されており、胴部１３は把持部１内に嵌挿されて上下に摺動可能である。図５はレバー３を押す前の状態を示すものであって、把持部１と一体のバネ押さえ１４によってコイルバネ１５の上端は押さえられており、コイルバネ１５の下端は摺動部材２の底面を下方に押圧している。図６に示すようにレバー３を押すと、レバーの爪１６が摺動部材２と一体に形成された係止部１７に係止して摺動部材２を上方に摺動する。これにより、押圧部８が上昇し上側の押圧部１１に当たる。
【００２２】
次に本発明のまつ毛カール器の使用方法について説明する。図５及び図６はレバー３が突出しているが、使用しないときはレバー３を上方に回動するとワイヤ４の後方に折り畳むことができ、把持部１の係止装置に係止してレバー３が自然に開くことはない。図７に示すようにまつ毛１９をカールするときは両押圧部８，１１の間にまつ毛１９を差し入れてレバー３をやや押して回動すると、図８に示すようにまつ毛１９は、下側の挟圧部６，７と上側の挟圧部９，１０の間に同時に挟まれる。さらにレバー３を回動すると、図９に示すように上側の挟圧部９，１０が下側の挟圧部６，７を圧縮し、これによってまつ毛１９をカールすることができる。前述したようにまつ毛は２箇所で同時に挟まれて挟圧されるから、図９に示したように下側の挟圧部６，７が圧縮してへこむと、その挟圧箇所の間のまつ毛は引っ張られることになる。引っ張られたまつ毛はそうでないまつ毛に比べて屈曲しずらいが、一度屈曲すれば長時間に亘って屈曲状態を維持できる。
【００２３】
次に、まつ毛カール器の陳列容器の実施の態様を図面に従って説明する。前述したように、押圧部１１の内面は凹の弧状をなしている。これは、目に宛がったときに目が弧状に突出していることに対応するためである。同様に下側の押圧部８の内面も凹の弧状をなすように形成されている。また、上側の挟圧部９は凹の弧状をなしている。これは、目の縁が弧状をなしていることに対応するためである。上側の挟圧部９と合わせるために下側の押圧部８は凸の弧状をなすように形成されている。このように、目が球状であること及び目の縁が弧状をなしていることに対応して押圧部の内面や挟圧部を弧状に形成することはまつ毛を綺麗にカールすることに不可欠である。特に、目の弧状部分とまつ毛カール器の弧状部分の曲がり具合が一致することが最良である。目の弧状部分は個人によって差があるからどのまつ毛カール器でも良いわけではない。そこで、自分の目部分の曲がり具合に合ったまつ毛カール器を選択する必要がある。しかし、まつ毛カール器はほとんど台紙付きのパッケージに収納されて陳列されているから、まつ毛カール器を目に宛がって確かめることができない。本発明の陳列容器はまつ毛カール器がパッケージされていても自分に合ったまつ毛カール器を選択することができるものに関する。
【００２４】
図面に示した陳列容器はすべて、押圧部８，１１の内面の弧状度合と目の弧状度合を合わせることができるようにしたものである。度合が合えばまつ毛はかなり綺麗にカールできる。図１０に示すように、まつ毛カール器２０は透明なプラスチックフィルムに覆われて台紙部分２１にパッケージされている。この台紙部分２１は厚紙の台紙の表面が透明なプラスチックフィルムで覆われたものである。プラスチックフィルムは形状が保持できないような薄いものでなく、保持できる腰の強いものが使用される。台紙部分２１の上の角が弧状に切り欠かれ弧状表示２２が形成されている。この弧状表示２２の弧状度合はここにパッケージされているまつ毛カール器の押圧部８の内面の弧状度合と同じある。したがって、需要者はまつ毛カール器２０がパッケージされている台紙部分２１を手に持って、弧状表示２２を目の縁に宛がうことによって、このまつ毛カール器が自分に合うかどうかを簡単に知ることができる。
【００２５】
【実施例】
図１１は実施例である。図１０と同様にまつ毛カール器２０は透明なプラスチックフィルムに覆われて台紙部分２１にパッケージされている。まつ毛カール器２０よりも上方の台紙部分に孔２３があいている。そして、この孔２３の上側の縁部が弧状表示２４となる。下側の縁部はやや下方に延びており、これによってここに宛がわれた目の視界が妨げられることがない。この孔２３の部分は完全に空白でプラスチックフィルムが存在していないが、これに限定されることはなく厚紙の台紙に孔をあけ、透明なプラスチックフィルムは孔をあけないものであってもよい。需要者はまつ毛カール器２０がパッケージされている台紙部分２１を手に持って、台紙部分２１の裏面から弧状表示２３を目の縁に宛がうことによって、このまつ毛カール器が自分に合うかどうかを簡単に知ることができる。
【００２６】
図１２は他の実施例である。台紙部分２１は比較的長く形成されているが、厚紙の台紙はまつ毛カール器２０のやや上方までしか存在せず、その上方は透明なプラスチックフィルムのみで形成されている。そして、その上方のプラスチックフィルムに塗料で弧状表示２５が描かれている。したがって、需要者はまつ毛カール器２０がパッケージされている台紙部分２１を手に持って、上方のプラスチックフィルムの裏から弧状表示２５を目の縁に宛がうことによって、このまつ毛カール器が自分に合うかどうかを簡単に知ることができる。なお、その際にプラスチックフィルムを弧状に折り曲げることによって目にぴったり合わせることができる。
【図面の簡単な説明】
【図１】本発明の側面図
【図２】本発明の正面図
【図３】本発明の上面図
【図４】本発明の断面図
【図５】レバーを出した状態を示す断面図
【図６】レバーを回動した状態を示す断面図
【図７】まつ毛を挟む直前の状態を示す一部断面図
【図８】まつ毛を挟んだ状態を示す一部断面図
【図９】まつ毛を挟圧した状態を示す一部断面図
【図１０】まつ毛カール器をパッケージした本発明の陳列容器の正面図
【図１１】陳列容器の実施例の正面図
【図１２】陳列容器の他の実施例の正面図
【符号の説明】
１  把持部
２  摺動部材
３  レバー
４  ワイヤ
５  溝
６  挟圧部
７  挟圧部
８  押圧部
９  挟圧部
１０  挟圧部
１１  押圧部
１２  頭部
１３  胴部
１４  バネ押え
１５  コイルバネ
１６  爪
１７  係止部
１８  ワイヤの側部
１９  まつ毛
２０  まつ毛カール器
２１  台紙部分
２２  弧状表示
２３  孔
２４  弧状表示
２５  弧状表示
２６  凹部
【図１】
2004242780.tif 000003
【図２】
2004242780.tif 000004
【図３】
2004242780.tif 000005
【図４】
2004242780.tif 000006
【図５】
2004242780.tif 000007
【図６】
2004242780.tif 000008
【図７】
2004242780.tif 000009
【図８】
2004242780.tif 000010
【図９】
2004242780.tif 000011
【図１０】
2004242780.tif 000012
【図１１】
2004242780.tif 000013
【図１２】
2004242780.tif 000014